(57)【要約】【課題】簡易な構成であり、製造性を低下させない光配線部材を提供する。【解決手段】光配線部材１は、ｍ×ｎ（例えば８×８）本の光ファイバを有し、ｍ×ｎ本の光ファイバの少なくとも一端及び他端がｍ行×ｎ列に配置された光ファイバ群５と、光ファイバ群５の一端において、光ファイバ群５を収容する複数の第１コネクタ１０と、光ファイバ群５の他端において、光ファイバ群５を収容する複数の第２コネクタ２０と、を備え、ｍ×ｎ本の光ファイバ６は複数の第１コネクタ１０のいずれかに収容され、第１コネクタ１０は、ｍ行のうちの少なくともいずれか一行に配置されたｎ本の光ファイバ６を一括で収容し、ｍ×ｎ本の光ファイバ６は複数の第２コネクタ２０のいずれかに収容され、第２コネクタ２０は、ｎ列のうちの少なくともいずれか一列に配置されたｍ本の光ファイバ６を一括で収容する。【選択図】図２
2017187678.tif 000002
【特許請求の範囲】
【請求項１】
ｍ×ｎ（ｍ，ｎはそれぞれ２以上の整数）本の光ファイバを有し、前記ｍ×ｎ本の光ファイバの少なくとも一端及び他端がｍ行×ｎ列に配置された光ファイバ群と、
前記光ファイバ群の前記一端を収容する複数の第１コネクタと、
前記光ファイバ群の前記他端を収容する複数の第２コネクタと、を備え、
前記ｍ×ｎ本の光ファイバは前記複数の第１コネクタのいずれかに収容され、
前記第１コネクタは、前記ｍ行のうちの少なくともいずれか一行に配置されたｎ本の光ファイバを一括で収容し、
前記ｍ×ｎ本の光ファイバは前記複数の第２コネクタのいずれかに収容され、
前記第２コネクタは、前記ｎ列のうちの少なくともいずれか一列に配置されたｍ本の光ファイバを一括で収容する、光配線部材。
【請求項２】
前記第１コネクタをｍ個有し、それぞれの前記第１コネクタは、各行に配置されたｎ本の光ファイバをそれぞれ一括で収容し、
前記第２コネクタをｎ個有し、それぞれの前記第２コネクタは、各列に配置されたｍ本の光ファイバをそれぞれ一括で収容する、請求項１に記載の光配線部材。
【請求項３】
前記光ファイバ群における行方向及び列方向での前記光ファイバのピッチが、前記光ファイバ群の前記一端及び前記他端に比べて前記光ファイバ群の中央において小さい、請求項１又は２に記載の光配線部材。
【請求項４】
前記光ファイバ群では、各行で前記ｎ本の光ファイバがテープ化されているか、又は、各列で前記ｍ本の光ファイバがテープ化されている、請求項１〜３のいずれか一項に記載の光配線部材。
【請求項５】
前記光ファイバ群では、互いに隣り合う前記光ファイバ同士が互いに接触している、請求項１〜３のいずれか一項に記載の光配線部材。
【請求項６】
前記第１コネクタ及び前記第２コネクタには、他のコネクタと接続するためのガイドピンが嵌合されるガイド孔が少なくとも二か所に形成されている、請求項１〜５のいずれか一項に記載の光配線部材。
【請求項７】
前記光ファイバの直径は２６０μｍ以下である、請求項１〜６のいずれか一項に記載の光配線部材。
【発明の詳細な説明】
【技術分野】
【０００１】
本発明は、光配線部材に関する。
【背景技術】
【０００２】
従来、波長分割多重方式（ＷＤＭ；Wavelength Division Multiplex）の光通信の分野において、例えばＲＯＡＤＭ（Reconfigurable Optical Add Drop Multiplexer）といった光信号処理装置が知られている。このような装置では、入力されたＷＤＭの信号を波長ごとに分離し、分離された各信号成分を波長ごとに集める配線構成が必要となっている。
【０００３】
このような配線構成として、例えば、特許文献１には、一方向に積層された第１コネクタ積層体と、一方向に直交する他方向に積層された第２コネクタ積層体とを含む光クロスコネクタ機構が開示されている。この機構では、第１コネクタ積層体及び第２コネクタ積層体に保持された光ファイバの先端にそれぞれレンズが設けられている。
【先行技術文献】
【特許文献】
【０００４】
【特許文献１】米国特許第８７６８１１６号明細書
【発明の概要】
【発明が解決しようとする課題】
【０００５】
しかしながら、特許文献１に記載された機構では、光ファイバの中心とレンズの中心との位置合わせが困難であり、製造性に問題がある。本発明は、簡易な構成であり、製造性を低下させない光配線部材を提供することを目的とする。
【課題を解決するための手段】
【０００６】
一形態の光配線部材は、ｍ×ｎ（ｍ，ｎはそれぞれ２以上の整数）本の光ファイバを有し、ｍ×ｎ本の光ファイバの少なくとも一端及び他端がｍ行×ｎ列に配置された光ファイバ群と、光ファイバ群の一端を収容する複数の第１コネクタと、光ファイバ群の他端を収容する複数の第２コネクタと、を備え、ｍ×ｎ本の光ファイバは複数の第１コネクタのいずれかに収容され、第１コネクタは、ｍ行のうちの少なくともいずれか一行に配置されたｎ本の光ファイバを一括で収容し、ｍ×ｎ本の光ファイバは複数の第２コネクタのいずれかに収容され、第２コネクタは、ｎ列のうちの少なくともいずれか一列に配置されたｍ本の光ファイバを一括で収容する。
【発明の効果】
【０００７】
本発明の一形態によれば、簡易な構成であり、製造性を低下させない光配線部材を提供することができる。
【図面の簡単な説明】
【０００８】
【図１】一実施形態に係る光配線部材の配線の構成を説明するための概念図である。
【図２】光配線部材を一端側からみた斜視図である。
【図３】光配線部材を他端側からみた斜視図である。
【図４】光配線部材の光ファイバ群を示す横断面図である。
【図５】他の実施形態に係る光配線部材を一端側からみた斜視図である。
【図６】光配線部材の光ファイバ群を示す横断面図である。
【発明を実施するための形態】
【０００９】
［本願発明の実施形態の説明］
最初に、本発明の実施形態の内容を列記して説明する。本発明の一実施形態に係る光配線部材は、ｍ×ｎ（ｍ，ｎはそれぞれ２以上の整数）本の光ファイバを有し、ｍ×ｎ本の光ファイバの少なくとも一端及び他端がｍ行×ｎ列に配置された光ファイバ群と、光ファイバ群の一端を収容する複数の第１コネクタと、光ファイバ群の他端を収容する複数の第２コネクタと、を備え、ｍ×ｎ本の光ファイバは複数の第１コネクタのいずれかに収容され、第１コネクタは、ｍ行のうちの少なくともいずれか一行に配置されたｎ本の光ファイバを一括で収容し、ｍ×ｎ本の光ファイバは複数の第２コネクタのいずれかに収容され、第２コネクタは、ｎ列のうちの少なくともいずれか一列に配置されたｍ本の光ファイバを一括で収容する。
【００１０】
このような光配線部材では、第１コネクタに収容されるｎ本の光ファイバのそれぞれが、複数の第２コネクタのいずれかに接続されることによって、一の第１コネクタと全ての第２コネクタとが互いに接続される。これにより、第２コネクタのそれぞれには、複数の第１コネクタからそれぞれ光ファイバが接続されるので、各第１コネクタから所定の信号を一の第２コネクタに集めることができる。光配線部材は、光ファイバ群の一端を複数の第１コネクタによって収容し、他端を複数の第２コネクタによって収容するという簡易な構成であるため、製造性を低下させない。
【００１１】
また、一形態に係る光配線部材では、第１コネクタをｍ個有し、それぞれの第１コネクタは、各行に配置されたｎ本の光ファイバをそれぞれ一括で収容し、第２コネクタをｎ個有し、それぞれの第２コネクタは、各列に配置されたｍ本の光ファイバをそれぞれ一括で収容してもよい。
【００１２】
このような光配線部材では、第１コネクタに収容されるｎ本の光ファイバが、それぞれ互いに異なる第２コネクタに接続されている。換言すると、第２コネクタに収容されるｍ本の光ファイバは、それぞれ互いに異なる第１コネクタに接続されている。これにより、第２コネクタのそれぞれには、ｍ個の第１コネクタからそれぞれ１本ずつの光ファイバが接続されるので、各第１コネクタから所定の信号のみを一の第２コネクタに集めることができる。光配線部材は、光ファイバ群の一端をｍ個の第１コネクタによって収容し、他端をｎ個の第２コネクタによって収容するという簡易な構成であるため、製造性を低下させない。
【００１３】
また、一形態に係る光配線部材では、光ファイバ群における行方向及び列方向での光ファイバのピッチが、光ファイバ群の一端及び他端に比べて光ファイバ群の中央において小さくてもよい。光ファイバのピッチを光ファイバ群の中央で小さくすることにより、光ファイバ群をコンパクトに形成することができる。
【００１４】
また、一形態において、光ファイバ群では、各行でｎ本の光ファイバがテープ化されているか、又は、各列でｍ本の光ファイバがテープ化されていてもよい。各列又は各行に配置された光ファイバがテープ化されることで、光ファイバをｍ行×ｎ列に配置しやすい。
【００１５】
また、一形態において、光ファイバ群では、互いに隣り合う光ファイバ同士が互いに接触していてもよい。このように、光ファイバ同士を密着させることによって、光ファイバ群をコンパクトに形成することができる。
【００１６】
また、一形態に係る光配線部材では、第１コネクタ及び第２コネクタには、他のコネクタと接続するためのガイドピンが嵌合されるガイド孔が少なくとも二か所に形成されていてもよい。これにより、第１コネクタ及び第２コネクタと他のコネクタとを容易に接続することができる。
【００１７】
また、一形態に係る光配線部材では、光ファイバの直径は２６０μｍ以下であってもよい。これにより、光ファイバ群をコンパクトに形成することができる。
【００１８】
［本願発明の実施形態の詳細］
本発明の実施形態に係る光配線部材の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１９】
［第１実施形態］
まず、一形態に係る光配線部材の配線構成についての、基本的な概念について説明する。図１は、光配線部材の配線構成を説明するための概念図である。図１に示すように、光配線部材は、ｍ（ｍは２以上の整数）個の第１コネクタＡ１〜Ａｍとｎ（ｎは２以上の整数）個の第２コネクタＢ１〜Ｂｎとを有する。ここで、例えば第１コネクタＡ１〜Ａｍには、それぞれ異なるＷＤＭ信号Ｓ１〜Ｓｍを波長ごとに分離したｎ個の信号成分λ１〜λｎが入力される。この場合、第１コネクタＡ１〜Ａｍと第２コネクタＢ１〜Ｂｎとは、第１コネクタＡ１〜Ａｍから出力される信号成分λ１〜λｎが、波長ごとに第２コネクタＢ１〜Ｂｎに集められるように接続される。例えば、第１コネクタＡ１〜Ａｍから出力される信号成分λ１は、全て第２コネクタＢ１に入力される。本実施形態では、第１コネクタＡ１〜Ａｍと第２コネクタＢ１〜Ｂｎとが光ファイバで接続されることで、上記の配線構成を実現している。
【００２０】
次に光配線部材の具体的な構成の一例について説明する。図２は、光配線部材１を一端側からみた斜視図である。また、図３は、光配線部材１を他端側からみた斜視図である。本実施形態の光配線部材は、ｍ×ｎ本の光ファイバを有し、ｍ×ｎ本の光ファイバの少なくとも一端及び他端がｍ行×ｎ列に配置された光ファイバ群と、光ファイバ群の一端において、各行に配置されたｎ本の光ファイバを一括で収容するｍ個の第１コネクタと、光ファイバ群の他端において、各列に配置されたｍ本の光ファイバを一括で収容するｎ個の第２コネクタと、を備える。以下、ｍ及びｎがいずれも「８」である例について説明する。
【００２１】
図２及び図３に示すように、光配線部材１は、光ファイバ群５と、８個の第１コネクタ１０と、８個の第２コネクタ２０とを備えている。第１コネクタ１０は第１コネクタＡ１〜Ａ８に相当し、第２コネクタ２０は第２コネクタＢ１〜Ｂ８に相当している。光ファイバ群５は、ｍ×ｎ本、すなわち６４本の光ファイバ６によって構成されている。光ファイバ６の直径は例えば２６０μｍ以下であり、一例として１９０μｍ〜２６０μｍである。この６４本の光ファイバ６の長手方向の一端６ａ及び他端６ｂは、８行×８列となるように整列している。図示例では、光ファイバ６の一端６ａ及び他端６ｂだけではなく、光ファイバ６の長手方向の中央においても８行×８列となるように互いに離間して整列している。なお、光ファイバ群５を構成する光ファイバ６は、互いに離間していなくてもよい。
【００２２】
例えば、図４は、光ファイバ群５の長手方向中央における横断面図の一例である。図４に示すように、光ファイバ６は、裸光ファイバ６ｃと、裸光ファイバ６ｃを被覆する樹脂被覆６ｄとを有している。この光ファイバ群５では、互いに隣り合う光ファイバ６同士が互いに接触している。図示例では、１本の光ファイバ６が隣り合う６本の光ファイバ６と互いに接触するように、光ファイバ群５が束ねられている。
【００２３】
第１コネクタ１０は、例えば並列する複数の光ファイバ保持孔を内部に有するフェルールであり、光ファイバ群５の一端５ａにおいて、各行に配置された８本の光ファイバ６を一括で収容する。第１コネクタ１０の外形は、行方向に延在する板状をなしている。第１コネクタ１０は、光ファイバ６が挿入される端面１０ａと、この端面１０ａとは逆側の端面１０ｂとを有する。光ファイバ６の一端６ａでは、樹脂被覆６ｄが除去されることにより、裸光ファイバ６ｃが露出しており、この露出した裸光ファイバ６ｃが第１コネクタ１０に収容されている。端面１０ｂでは、第１コネクタ１０に収容された裸光ファイバ６ｃの端部が露出している。例えば裸光ファイバ６ｃの端部は、端面１０ｂから突出していてもよい。
【００２４】
本実施形態では、第１コネクタ１０内において、露出した裸光ファイバ６ｃが行方向及び列方向に一定のピッチＰ１で例えば平行に配置されている。なお、本明細書において、「ピッチ」とは、隣り合って配置される光ファイバ６又は裸光ファイバ６ｃの中心同士の間隔を意味する。図４に示すように、光ファイバ群５において光ファイバ６同士が互いに接触している場合、第１コネクタ１０内における裸光ファイバ６ｃのピッチＰ１は、光ファイバ群５における行方向及び列方向での光ファイバ６のピッチＰ２よりも大きくなっている。すなわち、光ファイバ群５を構成する光ファイバ６は、その一端６ａ側において行方向に広がった状態で第１コネクタ１０に挿入される。この場合、光ファイバ群５における行方向での光ファイバ６のピッチは、光ファイバ群５の一端５ａよりも光ファイバ群５の長手方向の中央で小さくなっている。
【００２５】
第１コネクタ１０の端面１０ｂには、ガイド孔１３が形成されている。ガイド孔１３には、他のコネクタと接続するためのガイドピンが嵌合され得る。本実施形態では、第１コネクタ１０の端面１０ｂにおいて、一対のガイド孔１３が光軸方向に沿って形成されている。一対のガイド孔１３は、端面１０ｂにおいて行方向の両端に設けられている。これにより、８本の裸光ファイバ６ｃは、一対のガイド孔１３の間に配置されている。図示例では、列方向に配置された８個の第１コネクタ１０が互いに接しているが、８個の第１コネクタ１０は互いに離間していてもよい。
【００２６】
第２コネクタ２０は、例えばフェルールであり、光ファイバ群５の他端５ｂにおいて、各列に配置された８本の光ファイバ６を一括で収容する。各列に配置された８本の光ファイバ６は、８個の第１コネクタ１０にそれぞれ１本ずつ接続されている。第２コネクタ２０の外形は、列方向に延在する板状をなしている。第２コネクタ２０は、光ファイバ６が挿入される端面２０ａと、この端面２０ａとは逆側の端面２０ｂとを有する。光ファイバ６の他端６ｂでは、樹脂被覆６ｄが除去されることにより、裸光ファイバ６ｃが露出しており、この露出した裸光ファイバ６ｃが第２コネクタ２０に収容されている。端面２０ｂでは、第２コネクタ２０に収容された裸光ファイバ６ｃの端部が露出している。例えば裸光ファイバ６ｃの端部は、端面２０ｂから突出していてもよい。
【００２７】
本実施形態では、第２コネクタ２０内において、露出した裸光ファイバ６ｃが行方向及び列方向に一定のピッチＰ３で例えば平行に配置されている。図４に示すように、光ファイバ群５において光ファイバ６同士が互いに接触している場合、第２コネクタ２０内における裸光ファイバ６ｃのピッチＰ３は、光ファイバ群５における行方向及び列方向での光ファイバ６のピッチＰ２よりも大きくなっている。すなわち、光ファイバ群５を構成する光ファイバ６は、その他端６ｂ側において列方向に広がった状態で第２コネクタ２０に挿入される。この場合、光ファイバ群５における列方向での光ファイバ６のピッチは、光ファイバ群の他端よりも光ファイバ群５の長手方向の中央で小さくなっている。
【００２８】
第２コネクタ２０の端面２０ｂには、ガイド孔２３が形成されている。ガイド孔２３には、他のコネクタと接続するためのガイドピンが嵌合され得る。本実施形態では、第２コネクタ２０の端面２０ｂにおいて、一対のガイド孔２３が光軸方向に沿って形成されている。一対のガイド孔２３は、端面２０ｂにおいて列方向の両端に設けられている。これにより、８本の裸光ファイバ６ｃは、一対のガイド孔２３の間に配置されている。図示例では、行方向に配置された８個の第２コネクタ２０が互いに接しているが、８個の第２コネクタ２０は互いに離間していてもよい。
【００２９】
以上説明した光配線部材１では、一つの第１コネクタ１０に収容される８本の光ファイバ６が、それぞれ互いに異なる第２コネクタ２０に接続されている。換言すると、一つの第２コネクタ２０に収容される８本の光ファイバ６は、それぞれ互いに異なる第１コネクタ１０に接続されている。これにより、各第２コネクタ２０には、８個の第１コネクタ１０からそれぞれ１本ずつの光ファイバ６が接続されるので、各第１コネクタ１０から所定の信号のみを一の第２コネクタ２０に集めることができる。光配線部材１は、光ファイバ群５の一端を８個の第１コネクタ１０によって収容し、他端を８個の第２コネクタ２０によって収容するという簡易な構成であるため、製造性を低下させない。
【００３０】
また、光配線部材１では、光ファイバ群５における行方向及び列方向での光ファイバ６のピッチが、光ファイバ群５の一端及び他端に比べて光ファイバ群５の中央において小さくなる構成をとり得る。このように、光ファイバ６のピッチを光ファイバ群５の長手方向中央で小さくすることにより、光ファイバ群５をコンパクトに形成することができる。
【００３１】
また、光ファイバ群５では、互いに隣り合う光ファイバ６同士が互いに接触している構成をとり得る。このように、光ファイバ６同士を密着させることによって、光ファイバ群５をコンパクトに形成することができる。
【００３２】
また、光配線部材１では、第１コネクタ１０及び第２コネクタ２０には、他のコネクタと接続するためのガイドピンが嵌合されるガイド孔１３，２３が少なくとも二か所に形成されている。これにより、第１コネクタ１０及び第２コネクタ２０と他のコネクタとを容易に接続することができる。
【００３３】
また、光配線部材１では、光ファイバ６の直径は２６０μｍ以下である。これにより、光ファイバ群５をコンパクトに形成することができる。
【００３４】
［第２実施形態］
本実施形態に係る光配線部材１０１は、第１コネクタ及び第２コネクタが複数の行又は複数の列に配置された光ファイバを一括で収容する点で第１実施形態の光配線部材１と相違している。以下、主として第１実施形態と相違する点について説明し、同一の要素や部材については同一の符号を付して詳しい説明を省略する。また、本実施形態では、第１実施形態と同様に、ｍ及びｎがいずれも「８」である例について説明する。
【００３５】
図５に示すように、光配線部材１０１は、光ファイバ群５と、４個の第１コネクタ１１０と、４個の第２コネクタ１２０とを備えている。第２コネクタ１２０は、光ファイバ群５の他端５ｂにおいて、各列に配置された８本の光ファイバ６を一括で収容する。各列に８本ずつ２列に配置された計１６本の光ファイバ６は、それぞれ４個の第２コネクタ１２０に収容されている。これにより、第２コネクタ１２０の端面１２０ｂでは、第２コネクタ１２０に収容された裸光ファイバ６ｃの端部が露出している。なお、図示例では、列方向の両端に二か所ずつガイド孔２３が形成されている。
【００３６】
同様に、それぞれの第１コネクタ１１０は、光ファイバ群５の一端５ａにおいて、光ファイバ６が挿入される端面１１０ａを有し、少なくとも一行に配置された８本の光ファイバ６を一括で収容する。図示例では、各行に８本ずつ２行に配置された計１６本の光ファイバ６が、それぞれ４個の第１コネクタ１１０に収容されている。なお、４個の第１コネクタ１１０に代えて、第１実施形態に記載された８個の第１コネクタ１０に光ファイバ６が収容されてもよい。
【００３７】
以上、本発明の実施の形態について図面を参照して詳述したが、具体的な構成はこの実施形態に限られるものではない。
【００３８】
例えば、図２，３に示すように、光ファイバ群５を構成する光ファイバ６が互いに離間している例、及び、図４に示すように、光ファイバ群５を構成する互いに隣り合う光ファイバ６同士が互いに接触している例を示したが、これらに限定されない。図６の（ａ）及び（ｂ）は、変形例に係る光配線部材１の光ファイバ群５５を示す横断面図である。図６の（ａ）に示すように、各行で８本の光ファイバ６がテープ化されていてもよい。また、図６の（ｂ）に示すように、各列で８本の光ファイバ６がテープ化されていてもよい。これらの場合、光ファイバ６の光軸方向において少なくとも一方の端部がテープ化されてもよい。すなわち、光ファイバ６において、少なくとも第１コネクタ１０又は第２コネクタ２０の近傍付近がテープ化されていてもよい。
【００３９】
これらの例では、８本の光ファイバ６が一列に整列した状態で紫外線硬化樹脂等の被覆材７によって被覆されたテープ化ファイバ９が行方向又は列方向に積層されている。図示例では、隣り合う光ファイバ６同士は、互いに接している。図６の（ａ）では、８つのテープ化ファイバ９が列方向に積層され得る。また、図６の（ｂ）の例では、８つのテープ化ファイバ９が行方向に積層され得る。この場合、各列又は各行に配置された光ファイバ６がテープ化されることによって、光ファイバ６を８行×８列に配置しやすく、製造性の向上に寄与することができる。
【００４０】
また、各行又は各列で例えば４本ずつや２本ずつの光ファイバがそれぞれテープ化されていてもよく、これら複数の種類のテープ化ファイバが混在していてもよい。また、一つの行または一つの列における全ての光ファイバがテープ化されていなくともよく、これらの一つの行または一つの列における一部の光ファイバのみがテープ化されていても良い。さらに、各行または各列における一部の行または列のみに含まれる光ファイバがテープ化されていても良い。なお、行方向又は列方向に整列させた複数本の光ファイバを紫外線硬化樹脂等の被覆材によって一体化被覆してテープ化ファイバとしても良い。
【００４１】
また、第１コネクタ及び第２コネクタにおいて、ガイド孔は、少なくとも二か所に形成されていればよく、三か所以上に形成されていてもよい。
【００４２】
また、ｍの値とｎの値とは同じ「８」である例を示したが、これに限定されない。ｍの値とｎの値とは、異なっていてもよく、また、２以上の整数であれば、１６や３２など所望の値としてよい。例えば、ｍの値が「１６」であり、ｎの値が「３２」である場合、光ファイバ群は、１６行×３２列に配置された５１２本の光ファイバを有する。また、１６個の第１コネクタは、それぞれ各行に配置された３２本の光ファイバを収容する。また、３２個の第２コネクタは、それぞれ各列に配置された１６本の光ファイバを収容する。
【符号の説明】
【００４３】
１…光配線部材、５…光ファイバ群、６…光ファイバ、１０…第１コネクタ、１３…ガイド孔、２０…第２コネクタ、２３…ガイド孔。
【図１】
2017187678.tif 000003
【図２】
2017187678.tif 000004
【図３】
2017187678.tif 000005
【図４】
2017187678.tif 000006
【図５】
2017187678.tif 000007
【図６】
2017187678.tif 000008